(57)【要約】 【課題】  旧カードから新カードへの移行に支障をきたさないように、新旧両方のカードを適切に管理すること。【解決手段】  カード発行端末３のＣＰＵ３０は、ＩＣカード１の更新申請が為された際に、当該更新申請がなされた日をもとに、新カードの到着予想日（新カード到着予想日３１２）を算出する。そして、新カード到着予想日３１２が、旧カードの使用期限３１０ａ以降か否かを判定し、当該使用期限３１０ａ以降であると判定した場合は、新カード到着予想日３１２に基づいて変更期限を生成してＩＣカード１へ送信する。ＩＣカード１のＣＰＵは、カード発行端末３から送信される変更期限を受信したならば、その変更期限でＥＥＰＲＯＭの使用期限を変更して更新する。【選択図】図３
2006134152.tif 000002
【特許請求の範囲】
【請求項１】
旧使用期限情報が記憶された旧カードを更新し、新使用期限情報を記憶させた新カードを発行するカード発行装置であって、
前記新カードに記憶させる新使用期限情報を生成する情報生成手段と、
前記生成された新使用期限情報に基づいて旧カードに記憶された旧使用期限情報を更新する更新手段と、
前記情報生成手段及び前記更新手段を制御する第１の制御手段と、
を備えたことを特徴とするカード発行装置。
【請求項２】
前記情報生成手段は、
前記新カードが所有者に到着可能な予想日を算出する算出手段を有し、
前記更新手段は、
前記算出手段により算出された予想日に基づいて前記旧カードに記憶された旧使用期限情報を更新する旧使用期限情報更新手段を有し、
前記第１の制御手段は、
前記算出手段及び前記旧使用期限情報更新手段を制御する第２の制御手段を有することを特徴とする請求項１に記載のカード発行装置。
【請求項３】
前記旧カード及び前記新カードは、非接触式ＩＣカードであることを特徴とする請求項１又は２に記載のカード発行装置。
【請求項４】
所有者毎に割り振られた所有者識別情報を記憶する所有者識別情報記憶手段と、
カード毎に割り振られたカード識別情報を記憶するカード識別情報記憶手段と、
使用期限情報を更新可能に記憶する期限記憶手段と、
前記所有者識別情報及び前記カード識別情報によりカードの使用可否を管理する外部機器の制御に基づいて、前記期限記憶手段により記憶された使用期限情報を更新する更新制御手段と、
を備えることを特徴とするカード。
【請求項５】
非接触式ＩＣカードであることを特徴とする請求項４に記載のカード。
【請求項６】
カード使用端末と、旧カード及び新カードそれぞれに記憶された所有者識別情報及びカード識別情報を予め格納する管理サーバとを有するカード使用管理システムであって、
前記カード使用端末は、
使用されたカードに記憶されているカード識別情報を読み取って、その読み取ったカード識別情報と、前記管理サーバに格納されているカード識別情報との照合を当該管理サーバへ要求する照合要求手段を備え、
前記管理サーバは、
同一の所有者識別情報を記憶した旧カード及び新カードのうち、前記照合要求手段により照合を要求されたカード識別情報のカードが新カードである場合、前記旧カードの使用を禁止する使用禁止手段を備えたことを特徴とするカード使用管理システム。
【請求項７】
前記旧カード及び新カードは、請求項４又は５に記載のカードであり、
前記カード使用端末は、
使用されたカードが、前記使用禁止手段により使用が禁止された旧カードである場合に、期限満了情報を生成して、当該期限満了情報に基づいて前記旧カードの期限記憶手段に記憶された使用期限情報を更新する期限満了更新手段を更に備えることを特徴とする請求項７に記載のカード使用管理システム。
【請求項８】
前記照合要求手段は、
使用されたカードが旧カードである場合に、当該旧カードが更新申請期間中であるか否かを判別する判別手段と、
前記判別手段により旧カードが更新申請期間中であると判別された場合に、前記照合の要求を行う更新申請中照合手段と、
を有することを特徴とする請求項６又は７に記載のカード使用管理システム。
【発明の詳細な説明】
【技術分野】
【０００１】
本発明は、旧使用期限情報が記憶された旧カードを更新し、新使用期限情報を記憶させた新カードを発行するカード発行装置や、カード使用端末とカードに記憶された所有者識別情報及びカード識別情報を予め格納する管理サーバとを有するカード使用管理システム等に関する。
【背景技術】
【０００２】
近年、社員証や各種免許証、クレジットカード等の情報担持カードは、ＥＥＰＲＯＭ等の不揮発性のメモリやＣＰＵ等を有するＩＣ（Integrated Circuit）チップを備えたＩＣカードで作成されるようになった。このようなカードのメモリには、所有者の住所、氏名及び年齢等の個人情報や、所有者毎に割り振られた所有者識別情報（以下、「所有者ＩＤ」という。）、使用期限等が記憶されている。
【０００３】
また、使用期日や使用期間等の使用期限を表す情報である旧使用期限情報を記憶したカードを更新して、新使用期限情報を記憶させた新たなカードを発行するカード発行装置が知られている。カード発行装置は、更新申請されたカードと同一の個人情報や所有者ＩＤを記憶し、新たな使用期限を設定したカードを発行する装置である。尚、以下の説明において、更新申請されたカードを「旧カード」といい、これに対して、新たに発行するカードを「新カード」という。
【０００４】
旧カードの所有者は、当該カードの更新申請の後、新カードが到着するまでの間、旧カードを使用することができる。しかし、新カードが到着した際に、旧カードの使用期限がまだ有効であった場合、旧新両方のカードが重複して使用可能になってしまう。このため、同時に別の場所で新カード及び旧カードそれぞれが使用可能となり、不正利用の原因となり得た。
【０００５】
そこで、特許文献１の不正にコピーされたカードの使用を制限する技術を用いて、同一の所有者ＩＤのカードが使用された場合に、他方のカードを使用を禁止する方策が考えられる。より具体的には、カード端末は、カードに記憶されている前回の利用情報（端末番号や乱数）を管理センタへ送信し、管理センタは、所有者ＩＤ毎の利用情報を蓄積記録しておく。そして、管理センタは、蓄積記憶した利用情報と、カード端末から受信した利用情報とを同一の所有者ＩＤについて比較し、一致する利用情報を記憶していたならば、不正カードと判別して当該カードの使用を禁止する。
【特許文献１】特開平６−１６２２８７号公報
【発明の開示】
【発明が解決しようとする課題】
【０００６】
しかし、特許文献１の技術を単に用いただけでは、同一の所有者ＩＤを持つカード、即ち旧カードと新カードとが使用された場合、今まで使用されていた旧カードは使用可能であるが、新カードは不正カードと判定されてしまい当該新カードは使用不可となってしまう。
【０００７】
また、新カードの発行にはある程度の日数が必要な場合があるため、旧カードの使用期限間近に当該カードの更新申請が為されたとき等は、旧カードの使用期限までに新カードが到着しないことがあり得る。この場合、旧カードの使用期限が切れてしまうと、所有者は新カードの到着までカードが使用できなくなる。
【０００８】
また、使用期限以前に新カードを送付しておき、旧カードの使用期限が満了となるまで、新カードが使用不能となるように使用開始日を当該カードに設定する方法が考えられる。しかし、所有者の心情としては、到着した新カードはすぐに使用したいものであり、この方法では、その所有者の心情を満たすことができない。また、旧カードの使用期限付近では、旧カードから新カードへの使用を移行するために、新旧両方のカードを所持する状況が発生し得る。その場合、カードの使用時には、２枚のカードのうち使用可能なカードを識別しなければなく煩わしかった。
【０００９】
本発明は、上述した課題に鑑みて為されたものであり、その目的とするところは、旧カードから新カードへの移行に支障をきたさないように、新旧両方のカードを適切に管理することである。
【課題を解決するための手段】
【００１０】
以上の課題を解決するために、請求項１に記載の発明は、
旧使用期限情報が記憶された旧カードを更新し、新使用期限情報を記憶させた新カードを発行するカード発行装置であって、
前記新カードに記憶させる新使用期限情報を生成する情報生成手段と、
前記生成された新使用期限情報に基づいて旧カードに記憶された旧使用期限情報を更新する更新手段と、
前記情報生成手段及び前記更新手段を制御する第１の制御手段と、
を備えたことを特徴としている。
【００１１】
請求項２に記載の発明は、請求項１に記載のカード発行装置であって、
前記情報生成手段は、
前記新カードが所有者に到着可能な予想日を算出する算出手段を有し、
前記更新手段は、
前記算出手段により算出された予想日に基づいて前記旧カードに記憶された旧使用期限情報を更新する旧使用期限情報更新手段を有し、
前記第１の制御手段は、
前記算出手段及び前記旧使用期限情報更新手段を制御する第２の制御手段を有することを特徴としている。
【００１２】
請求項３に記載の発明は、請求項１又は２に記載のカード発行装置であって、
前記旧カード及び前記新カードは、非接触式ＩＣカードであることを特徴としている。
【００１３】
請求項４に記載のカードは、
所有者毎に割り振られた所有者識別情報を記憶する所有者識別情報記憶手段と、
カード毎に割り振られたカード識別情報を記憶するカード識別情報記憶手段と、
使用期限情報を更新可能に記憶する期限記憶手段と、
前記所有者識別情報及び前記カード識別情報によりカードの使用可否を管理する外部機器の制御に基づいて、前記期限記憶手段により記憶された使用期限情報を更新する更新制御手段と、
を備えることを特徴としている。
【００１４】
請求項５に記載の発明は、請求項４に記載のカードにおいて、
非接触式ＩＣカードであることを特徴としている。
【００１５】
請求項６に記載の発明は、
カード使用端末と、旧カード及び新カードそれぞれに記憶された所有者識別情報及びカード識別情報を予め格納する管理サーバとを有するカード使用管理システムであって、
前記カード使用端末は、
使用されたカードに記憶されているカード識別情報を読み取って、その読み取ったカード識別情報と、前記管理サーバに格納されているカード識別情報との照合を当該管理サーバへ要求する照合要求手段を備え、
前記管理サーバは、
同一の所有者識別情報を記憶した旧カード及び新カードのうち、前記照合要求手段により照合を要求されたカード識別情報のカードが新カードである場合、前記旧カードの使用を禁止する使用禁止手段を備えたことを特徴としている。
【００１６】
請求項７に記載の発明は、請求項６に記載のカード使用管理システムにおいて、
前記旧カード及び新カードは、請求項４又は５に記載のカードであって、
前記カード使用端末は、
使用されたカードが、前記使用禁止手段により使用が禁止された旧カードである場合に、期限満了情報を生成して、当該期限満了情報に基づいて前記旧カードの期限記憶手段に記憶された使用期限情報を更新する期限満了更新手段を更に備えることを特徴としている。
【００１７】
請求項８に記載の発明は、請求項６又は７に記載のカード使用管理システムであって、
前記照合要求手段は、
使用されたカードが旧カードである場合に、当該旧カードが更新申請期間中であるか否かを判別する判別手段と、
前記判別手段により旧カードが更新申請期間中であると判別された場合に、前記照合の要求を行う更新申請中照合手段と、
を有することを特徴としている。
【発明の効果】
【００１８】
請求項１又は３に記載の発明によれば、新カードに記憶させる新使用期限情報に基づいて旧カードに記憶された旧使用期限情報を更新するカード発行装置が実現される。従って、旧カードから新カードへの移行に際して、旧カードの旧使用期限情報を適切に更新することで、旧新両方のカードが使用不能にならないように両カードを管理することが可能となる。
【００１９】
請求項２又は３に記載の発明によれば、請求項１に記載の発明と同様の効果が得られるのは無論のこと、新カードが所有者に到着可能な予想日に基づいて旧カードの旧使用期限情報を更新するカード発行装置が実現される。従って、旧カードの旧使用期限情報を、新カードが到着可能な予想日に合わせて適切に更新することで、新旧両カードが使用不能にならないように管理することができる。
【００２０】
請求項４〜６に記載の発明によれば、照合の要求を行ったカード識別情報のカードが、新カードであった場合は、同一の所有者識別情報を記憶した旧カードの使用を禁止する。このため、所有者は、新カードを使用した後、旧カードが使用できなくなる。従って、新旧両方のＩＤカードが同時に使用可能となることを防ぐように、新旧両カードを管理することができる。
【００２１】
請求項７に記載の発明によれば、請求項６に記載の発明と同様の効果が得られるのは無論のこと、使用されたカードが、使用が禁止された旧カードであった場合に、期限満了情報に基づいて、当該旧カードの使用期限情報を更新するカード使用管理システムが実現される。このため、所有者は、新カードを使用した後に旧カードを使用した場合、旧カードの使用期限情報は期限満了情報に基づいて更新されるため、当該旧カードを使用出来なくなる。従って、旧カードの使用期限情報を適切に更新することで、新旧両方のカードが使用可能となることを防止することができる。
【００２２】
請求項８に記載の発明によれば、請求項６又は７に記載の発明と同様の効果が得られるのは無論のこと、旧カードの更新申請期間中である場合に、カード識別情報の照合の要求を行うカード管理システムが実現される。
【発明を実施するための最良の形態】
【００２３】
〔実施形態〕
以下、本発明のカードを非接触式ＩＣカード（以下、単に「ＩＣカード」という。）に、カード発行装置をカード発行端末に適用し、カード使用管理システムを、カード発行端末、カード使用端末及び管理サーバを備えて構成されるＩＣカード更新システムに適用した場合の実施形態について図１〜図１１を参照して詳細に説明する。尚、カードの適用例をクレジットカードの機能を有するＩＣカードとするが、適用可能なものはこれに限られず、例えば、社員証や各種ＩＤカードに適用することとしてもよい。
【００２４】
〔ＩＣカード更新システムの概要〕
先ず、本実施形態におけるＩＣカード更新システム９のシステム構成の概要を説明する。図１は、ＩＣカード更新システム９のシステム構成の一例を示す図である。同図によれば、ＩＣカード更新システム９は、カード発行端末３と、カード使用端末５と、管理サーバ７とが、有線／無線の電話網やインターネット網などの通信回線Ｎを介して通信可能に接続されて構成されている。
【００２５】
ＩＣカード更新システム９は、ＩＣカード１の更新又は再発行の申請を受け付けた場合、又はＩＣカード１が使用された場合に、申請を受け付けたＩＣカードと、新たに発行したＩＣカードとの両方が使用不要とならないように、新旧両カードを管理するシステムである。尚、以下の説明において、申請を受け付けたＩＣカードを「旧カード」といい、これに対して、新たに発行するＩＣカードを「新カード」という。
【００２６】
カード発行端末３やカード使用端末５は、各地の出張所や営業所等に設置される。ＩＣカード１の所有者は、この出張所や営業所に出向いて、ＩＣカード１の更新手続きを行い、例えば、ＩＣカード１を更新して新カードの発行を申請する際、カード発行端末３において所定の手続きを行う。このＩＣカード１は、所有者の氏名、住所、生年月日、所有者ＩＤといった個人情報の他に、カード毎に割り振られたカード識別情報（以下、「カードＩＤ」という。）及び使用期限等を記憶している。
【００２７】
所有者の申請を受け付けた際、カード発行端末３は新使用期限情報である使用期限を記憶させた新カードの発行を行うが、旧カードであるＩＣカード１の使用期限よりも新カードが所有者に到着可能な予想日（以下、この予想日のことを「新カード到着予想日」という。）のほうが後の日であった場合に、当該予想日までの間、ＩＣカード１が使用可能となるようにその使用期限を延長更新する。この使用期限の延長更新は、例えば、新カード到着予想日の１０日後の日付に設定するように、ある程度の余裕をもって行う。これにより、例えば、新カードの手続きに障害が生じて新カードが新カード到着予想日に所有者の元に届かなかったり、所有者が出張などで新カードを受け取れなかったりした場合にも、旧カードしか所持しない所有者はＩＣカード１を使用することができる。
【００２８】
カード使用端末５は、ＩＣカード１の使用を受け付けて、ＩＣカード１の使用期限までの間、即ち使用期限が有効な間、そのＩＣカード１の決済業務等を管理サーバ７と通信することで行う。
【００２９】
また、管理サーバ７は、所有者ＩＤ及びカードＩＤと、これらのＩＤで示されるＩＣカードの使用可否を統括的に管理している。
【００３０】
次に、ＩＣカード１及びＩＣカード更新システム９の機能構成について図２〜図６を参照して説明する。
【００３１】
〔ＩＣカードの構成〕
図２は、ＩＣカード１の機能構成の一例を示すブロック図である。同図によれば、ＩＣカード１は、ＣＰＵ（Central Processing Unit）１０と、ＥＥＰＲＯＭ（electrically erasable programmable Read Only Memory）１１と、ＲＯＭ１２と、ＲＡＭ（Random Access Memory）１３と、カード発行端末３及びカード使用端末５それぞれのＩＣカードリーダライタとのデータ通信の制御をＩ／Ｆ部１５を介して行う通信制御部１４とがバス１６に接続されて構成されている。
【００３２】
ＣＰＵ１０は、Ｉ／Ｆ部１５及び通信制御部１４を介して当該ＩＣカード１が装填された端末装置を識別する。そして、その識別結果に応じたプログラムをＲＯＭ１２から読み出し、そのプログラムに従った処理を実行して、各機能部への指示やデータの入出力等を行う。
【００３３】
ＥＥＰＲＯＭ１１は読み書き可能な不揮発性メモリであり、ＣＰＵ１０の制御に基づいて、各種データを記憶・更新する。同図によれば、ＥＥＰＲＯＭ１１は、カード情報１１０と、更新申請ステータス１１２とを記憶している。
【００３４】
カード情報１１０は、使用期限情報である使用期限１１０ａ、所有者ＩＤ１１０ｂ及びカードＩＤ１１０ｃを有して構成される。使用期限１１０ａ及び所有者ＩＤ１１０ｂは、ＩＣカード１の発行時に生成され、カードＩＤ１１０ｃは、メーカがＩＣカード１の製造時に設定される。即ち、ＥＥＰＲＯＭ１１は、所有者識別情報記憶手段、カード識別情報記憶手段及び期限記憶手段を実現する。
【００３５】
更新申請ステータス１１２は、ＩＣカード１の更新又は再発行の申請が為されたか否かを表す識別子であり、初期状態では「ＯＦＦ」に設定されている。
【００３６】
ＲＯＭ１２は、ＩＣカード１の動作に係る各種機能を実現するためのデータやプログラムを格納する。同図によれば、ＲＯＭ１２は、更新申請処理（図７参照）を実現するための更新申請プログラム１２０と、カード使用処理（図８参照）を実現するためのカード使用プログラム１２２とを記憶する。
【００３７】
ＲＡＭ１３は、ＣＰＵ１０が実行する各種プログラムや、これらプログラムの実行に係るデータ等を一時的に保持する記憶領域である。
【００３８】
通信制御部１４は、ＣＰＵ１０の制御に基づいて、ＩＣカード１が装填された端末装置のＩＣカードリーダライタとＩ／Ｆ部１５を介して各種データの通信制御を行う機能部である。
【００３９】
ＣＰＵ１０は、更新申請処理及びカード使用処理において、カード発行端末３及びカード使用端末５から送信される変更期限をＩ／Ｆ部１５及び通信制御部１４を介して受信して、受信した変更期限でＥＥＰＲＯＭ１１の使用期限１１０ａ（旧使用期限情報）を記憶更新する。これにより、更新手段及び旧使用期限情報更新手段が実現される。
【００４０】
〔カード発行端末の構成〕
図３は、カード発行端末３の機能構成の一例を示すブロック図である。同図によれば、カード発行端末３は、ＣＰＵ３０、ＲＡＭ３１、記憶装置３２、入力部３３、表示部３４、ＩＣカードリーダライタ３５及び通信装置３６がバス３７に接続されて構成される。
【００４１】
ＣＰＵ３０は、入力部３３から入力される指示に応じて所定のプログラムを記憶装置３２から読み出して、当該プログラムに基づいた処理を実行する。そして、各機能部への指示やデータの入出力を行い、その処理結果を表示部３４に表示させる。
【００４２】
ＲＡＭ３１は、ＣＰＵ３０が実行する各種プログラムや、これらプログラムの実行に係るデータ等を一時的に保持する記憶領域であり、受信カード情報３１０と新カード到着予想日３１２とを記憶している。受信カード情報３１０は、ＩＣカード１から受信したカード情報であり、使用期限３１０ａ、所有者ＩＤ３１０ｂ及びカードＩＤ３１０ｃを有して構成される。
【００４３】
新カード到着予想日３１２は、発行した新カードが所有者に到着可能な予想日であり、例えば、ＩＣカード１の発行申請を受け付けた日付に所定日数（例えば、１０日）を加算することにより算出される。
【００４４】
記憶装置３２は、例えば、ＣＤ−ＲＯＭやメモリカード、ハードディスク等の記憶媒体を備えて構成され、当該記憶媒体にデータの読み書きを行う機能部である。同図によれば、記憶装置３２は、カード発行処理（図７参照）を実現するためのカード発行プログラム３２０と、ＩＤ管理データベース（以下、データベースを「ＤＢ」と略す。）３２２とを記憶している。
【００４５】
ＣＰＵ３０は、ＩＣカード１の更新申請を受け付けたならばカード発行処理を実行することで、情報生成手段、算出手段、第１制御手段及び第２制御手段を実現する。より具体的には、新カード到着予想日３１２を算出して、その新カード到着予想日３１２が、受信カード情報３１０の使用期限３１０ａよりも後の日であると判定した場合に、新カード到着予想日３１２の数日後（例えば、５日後）の日付を変更期限として生成してＩＣカード１へ送信することで、ＩＣカード１の使用期限を更新する。
【００４６】
ＩＤ管理ＤＢ３２２は、図４に示すデータ構成の一例のように、所有者ＩＤと、カードＩＤと、当該所有者ＩＤ及び当該カードＩＤで示されるＩＣカードの使用状態とを対応付けて管理データとして蓄積記憶（格納）するデータテーブルである。同図のように、所有者ＩＤには、複数のカードＩＤが対応付けられ、また、カードＩＤ毎に使用状態が対応付けられている。
【００４７】
ＣＰＵ３０は、カード発行処理を実行して、ＩＣカード１の更新申請を受け付けた際に、新カードのカードＩＤを取得すると、受信カード情報３１０の所有者ＩＤ３１０ｂに取得したカードＩＤを対応付けて記憶する。また、そのカードＩＤに対して使用状態「未使用」を対応付けて記憶する。尚、ＩＤ管理ＤＢ３２２は、カード発行端末３が固有に格納するものとしてもよいし、管理サーバ７に格納されているＩＤ管理ＤＢ７２４を定期的に受信して更新されるものとしてもよい。
【００４８】
入力部３３は、カーソルキー、テンキー及び各種ファンクションキー等を有するキーボードやマウス等のポインティングデバイスを備えた入力装置であり、押下されたキーの押下信号や、マウスの位置信号等をＣＰＵ３０に出力する。
【００４９】
表示部３４は、ＣＲＴ（Cathode-ray Tube）やＬＣＤ（Liquid Crystal Display）等により構成され、ＣＰＵ３０から入力される表示データに基づいて各種画面を表示出力する。
【００５０】
ＩＣカードリーダライタ３５は、ＩＣカード１のＥＥＰＲＯＭ１１に対して、データの記録、消去及び読み取りを行う装置であり、更新手段及び旧使用期限情報更新手段を実現する。ＩＣカードリーダライタ３５は、ＣＰＵ３０の制御によりＩＣカード１から送信される使用期限１１０ａ、所有者ＩＤ１１０ｂ及びカードＩＤ１１０ｃなどのカード情報を受信・取得したり、変更期限をＩＣカード１に送信して記憶更新させたりする。
【００５１】
通信装置３６は、通信回線Ｎに接続してデータ通信するための機能部であり、モデムやＬＡＮインターフェイス、ＵＳＢ等を備えて構成される。
【００５２】
〔カード使用端末の構成〕
図５は、カード使用端末５の機能構成の一例を示すブロック図である。同図によれば、カード使用端末５は、ＣＰＵ５０、ＲＡＭ５１、記憶装置５２、入力部５３、表示部５４、ＩＣカードリーダライタ５５及び通信装置５６がバス５７に接続されて構成されている。尚、これらの構成要素それぞれの主機能は、図３に示したカード発行端末３の構成要素と同一であるのでその詳細な説明は省略し、カード発行端末３と異なる部分を中心に説明する。
【００５３】
同図によれば、ＲＡＭ５１は、受信カード情報５１０と、受信更新申請ステータス５１２と、照会結果５１４とを記憶している。受信更新申請ステータス５１２は、ＩＣカード１から送信された更新申請ステータスである。ＣＰＵ５０は、この受信更新申請ステータス５１２により、ＩＣカード１が更新申請期間中であるか否かを判別する判別手段を実現する。
【００５４】
照会結果５１４は、管理サーバ７から送信されるデータであり、使用されたＩＣカード１の使用状態である。
【００５５】
記憶装置５２は、カード照会処理（図８参照）を実現するためのカード照会プログラム５２０と、ＩＤ管理ＤＢ５２２とを記憶する。ＣＰＵ５０は、カード照会処理を実行して、ＲＡＭ５０ａに記憶されている使用期限５１０ａが既に切れていればＩＣカード１が使用できないことを表示部５４にその旨を表示させるが、使用期限５１０ａが有効であった場合は、当該カードの照会を管理サーバ７に要求する。そして、その照会結果が「可」であれば、ＩＣカード１の使用を受け付けて決済業務を行うが、「否」であれば、ＩＣカード１が使用された日を期限満了情報である変更期限として生成し、当該ＩＣカードに送信することで、ＩＣカード１の使用期限を満了に変更して、翌日以降のＩＣカード１の使用を停止する。これにより、ＣＰＵ５０は、照合要求手段及び期限満了更新手段を実現する。尚、使用期限を満了に変更することで、ＩＣカード１の使用を停止することとしたが、例えば、ＥＥＰＲＯＭ１１に使用可否フラグを記憶しておき、その使用可否フラグを“ＯＮ”から“ＯＦＦ”に切り替えることで、当該カードの使用を停止するようにしてもよい。
【００５６】
ＩＤ管理ＤＢ５２２は、上述した図４のＩＤ管理ＤＢ３２２のデータ構成と同様のデータベースであり、識別情報記憶手段を実現する。
【００５７】
〔管理サーバの構成〕
図５は、管理サーバ７の機能構成の一例を示す図である。同図によれば、管理サーバ７は、ＣＰＵ７０、ＲＡＭ７１、記憶装置７２、入力部７３、表示部７４及び通信装置７５がバス７６に接続されて構成されている。尚、これらの構成要素それぞれの主機能は、図３に示したカード発行端末３の構成要素と同一であるので、その詳細な説明は省略し、カード発行端末３と異なる部分を中心に説明する。
【００５８】
同図によれば、ＲＡＭ７１は、受信所有者ＩＤ７１０と、受信カードＩＤ７１２と、受信変更期限７１３と、返信データ７１４とを記憶している。受信所有者ＩＤ７１０及び受信カードＩＤ７１２それぞれは、カード発行端末３又はカード使用端末５から受信した所有者ＩＤ及びカードＩＤであり、受信変更期限７１３は、カード発行端末３から受信した変更期限である。返信データ７１４は、カード使用端末５の照会に応じて当該端末へ返信するＩＣカード１の使用状態である。
【００５９】
記憶装置７２は、管理ＤＢ更新処理（図７参照）を実現するための管理ＤＢ更新プログラム７２０と、照会返信処理（図８参照）を実現するための照会返信プログラム７２２と、ＩＤ管理ＤＢ７２４とを記憶している。尚、ＩＤ管理ＤＢ７２４は、図４のＩＤ管理ＤＢ３２４と同様のデータ構成であるので、その説明を省略する。
【００６０】
ＣＰＵ７０は、照会返信処理を実行して、カード使用端末５からカードＩＤの照会の要求を受けると、ＩＤ管理ＤＢ７２４を参照して、受信カードＩＤ７１２に対応する使用状態を返信データ７１４として設定する。ＣＰＵ７０は、カード使用端末５の照会要求に対して、返信データ７１４を送信する。
【００６１】
〔ＩＣカード及びＩＣカード更新システムの具体的な動作〕
次に、ＩＣカード１及びＩＣカード更新システムの具体的な動作を、図９〜図１１を参照しつつ、図７及び８のフローチャートを用いて説明する。
【００６２】
〔ＩＣカードの更新申請時の動作〕
先ず、所有者によりＩＣカード１の更新又は再発行の申請が為された際のＩＣカード更新システム９の処理について説明する。
【００６３】
ＩＣカード１のＣＰＵ１０は、当該カードがカード発行端末３のＩＣカードリーダライタ３５に装填されたことを検知すると、更新申請ステータス１１２を「ＯＮ」に設定した後（ステップＡ１）、カード情報１１０をカード発行端末３へ送信する（ステップＡ３）。
【００６４】
一方、カード発行端末３のＣＰＵ３０は、ＩＣカード１がＩＣカードリーダライタ３５に装填されたことを検知すると、カード発行処理を開始して、ＩＣカード１から送信されるカード情報を受信して、受信カード情報３１０としてＲＡＭ３１に記憶する（ステップＢ３）。そして、新カード到着予想日３１２を算出し、その新カード到着予想日３１２が受信カード情報３１０の使用期限３１０ａ以降であるか否かを判定する（ステップＢ７）。
【００６５】
ＣＰＵ３０は、図９のように新カード到着予想日３１２が使用期限（初期値）３１０ａ以降であると判定した場合は、新カード到着予想日３１２に基づいて変更期限を生成して（ステップＢ９）、その生成した変更期限をＩＣカード１へ送信する（ステップＢ１１）。ここで、変更期限は、ＩＣカード１の使用期限１１０ａを更新するための使用期限情報であり、ＣＰＵ１０は、例えば、新カード到着予想日３１２の数日後（例えば、５日後）の日付を変更期限として生成する。尚、変更期限としての日付は、新カード到着予想日３１２の前日の日付としたりしたり、新カードの使用期限（新使用期限情報）から当該カードの使用開始日を算出して当該使用開始日の日付としたりしてもよい。
【００６６】
ＩＣカード１のＣＰＵ１０は、カード発行端末３から変更期限が送信されたか否かを判定して、送信されたと判定した場合は（ステップＡ５：Ｙｅｓ）、その変更期限をカード情報１１０の使用期限１１０ａとして記憶して更新するが（ステップＢ７）、送信されなかったと判定した場合は（ステップＡ５：Ｎｏ）、そのまま更新申請処理を終了する。
【００６７】
このように、所有者に新カードが到着する日が旧カードの使用期限よりも後であった場合には、その到着する日の数日後まで旧カードの使用期限を延期することで、旧カードと新カードのどちらのカードも使用不能になることを防止することができる。
【００６８】
そして、ステップＢ１１の処理後、又はステップＢ７において新カード到着予想日３１２が使用期限３１０ａ以降ではないと判定した場合は（ステップＢ７：Ｎｏ）、新たな使用期限（新使用期限情報）や所有者ＩＤを記憶させて新カードを作成して、当該カードに既に設定されているカードＩＤを取得し、そのカードＩＤを所有者ＩＤに対応付けてＩＤ管理ＤＢ３２２に記憶する。（ステップＢ１３）。そして、新カードの所有者ＩＤ及びカードＩＤを管理サーバ７へ送信した後（ステップＢ１５）、所有者へ発送するといった新カード発送処理を行って（ステップＢ１７）、ＣＰＵ３０はカード発行処理を終了する。
【００６９】
一方、管理サーバ７のＣＰＵ７０は、管理ＤＢ更新処理を開始し、カード発行装置３から送信される新カードの所有者ＩＤ及びカードＩＤ受信して、受信所有者ＩＤ７１０及び受信カードＩＤ７１２としてＲＡＭ７０に記憶する（ステップＣ１）。そして、受信所有者ＩＤ７１０に対応付けて受信カードＩＤ７１２をＩＤ管理ＤＢ７２４に追加記憶して更新した後（ステップＣ３）、管理ＤＢ更新処理を終了する。
【００７０】
〔ＩＣカードが使用された際の動作〕
次に、所有者によりＩＣカード１が使用された際のＩＣカード更新システム９の処理について説明する。
先ず、ＩＣカード１のＣＰＵ１０が、カード使用端末５のＩＣカードリーダライタ５５に当該カードが装填されたことを検知すると、カード使用処理を開始して、カード情報１１０と更新申請ステータス１１２とをＩＣカードリーダライタ５５へ送信する（ステップＡ１０１）。
【００７１】
一方、カード使用端末５のＣＰＵ５０は、ＩＣカード１がＩＣカードリーダライタ５５に装填されたことを検知すると、カード照会処理を開始して、ＩＣカード１から送信されるカード情報及び更新申請ステータスそれぞれを受信して、受信カード情報５１０及び受信更新申請ステータス５１２としてＲＡＭ５１に記憶する（ステップＢ１０１）。
【００７２】
そして、受信カード情報５１０の使用期限５１０ａと現在の日付とを比較して、当該使用期限５１０ａが有効であるか否かを判定する（ステップＢ１０３）。ＣＰＵ５０は、使用期限５１０ａが既に切れている場合、即ち使用期限５１０ａが無効であると判定した場合は（ステップＢ１０３：Ｎｏ）、ＩＣカード１が使用不可である旨のメッセージを表示部５４に表示させて（ステップＢ１２１）、カード照会処理を終了する。
【００７３】
また、使用期限５１０ａが現在の日付以降である場合、即ち使用期限５１０ａが有効であると判定した場合（ステップＢ１０３：Ｙｅｓ）、ＣＰＵ５０は、ＩＣカード１が発行申請中のカードであるか否かを判別する（ステップＢ１０５）。
【００７４】
ＣＰＵ５０は、受信更新申請ステータス５１２が「ＯＦＦ」であれば、ＩＣカード１が発行申請中のカードではないと判別し（ステップＢ１０５：Ｎｏ）、ステップＢ１０７〜Ｂ１１９までの照会処理を行わずにＩＣカード１の決済業務等のカード業務処理を行った後に（ステップＢ１１９）、カード照会処理を終了する。
【００７５】
受信更新申請ステータス５１２が「ＯＮ」であり、ＩＣカード１が発行申請中のカードであると判別した場合は（ステップＢ１０５：Ｙｅｓ）、受信カード情報５１０のカードＩＤ５１０ｃの照合を要求するために、当該カードＩＤ５１０ｃをサーバ７へ送信して、当該ＩＤで示されるＩＣカード１の照会を行う。これにより、更新申請中照合手段が実現される。
【００７６】
そして、管理サーバ７から送信される返信データを受信して、照会結果５１４としてＲＡＭ５１に記憶する（ステップＢ１０９）。次いで、照会結果５１４からＩＣカード１の使用可否を判定し、照会結果５１４が「否」であった場合（ステップＢ１１１：「否」）、即ち、ＩＣカード１が使用不可とされた旧カードであった場合、現在の日付を変更期限としてＩＣカード１へ送信することで、ＩＣカード１の使用期限を満了に変更する（ステップＢ１１５）。
【００７７】
そして、所有者に新カードの使用を促すためのメッセージを表示部５４に表示させた後（ステップＢ１１７）、ステップＢ１２１へ処理を移行した後（ステップＢ１２１）、カード照会処理を終了する。
【００７８】
また、ステップＢ１１１において、照会結果５１４が「可」又は「未使用」であった場合は、ステップＢ１１９の処理へ移行する。
【００７９】
一方、管理サーバ７のＣＰＵ７０は、照会返信処理を開始後、カード使用端末５から送信されるカードＩＤを受信して、受信カードＩＤ７１２として記憶した後（ステップＣ１０１）、使用状態判定処理（ステップＣ１０５）を行って得られた返信データ７１４をカード使用端末５へ返信する（ステップＣ１０７）。
【００８０】
具体的には、ＩＤ管理ＤＢ７２４を参照して、受信カードＩＤ７１２と同一のカードＩＤに対応する使用状態をＩＤ管理ＤＢ７２４から読み出して、当該使用状態を返信データ７１４として設定する（使用状態判定処理）。
【００８１】
そして、ＣＰＵ７０は、受信カードＩＤ７１２と同一のカードＩＤに対応する使用状態が「未使用」であって当該カードが新カードであると判定した場合（ステップＣ１０９：Ｎｏ）、ＩＤ管理ＤＢ７２４中の受信カードＩＤ７１２を含む管理データ内のカードＩＤのうち、旧カードのカードＩＤに対応する使用状態を「否」に変更し、更に、受信カードＩＤ７１２と同一のカードＩＤに対応する使用状態を「可」に変更して旧カードの使用を禁止する（ステップＣ１１３）。これにより、使用禁止手段が実現される。
【００８２】
また、旧カードであるが、新カードは使用済みである、即ち、新カードの使用状態が「可」であった場合にも（ステップＣ１０９：Ｙｅｓ→Ｃ１１１：Ｎｏ）、旧カードのカードＩＤに対応する使用状態を「否」に変更する（ステップＣ１１３）。
【００８３】
ＣＰＵ７０は、受信カードＩＤ２１２のＩＣカード１が、旧カードであって、新カードがまだ使用されていないと判定した場合（ステップＣ１１１：Ｙｅｓ）、又はステップＣ１１３の処理後、照会返信処理を終了する。
【００８４】
ここで、例えば、図１０のように更新申請日から旧カードの使用期限までのカード照会期間中に新カードのＩＣカード１が使用されたとする。この場合、管理サーバ７へＩＣカード１の照会が行われ、そのＩＣカード１が未使用であるという照会結果がカード使用端末５で得られると共に、管理サーバ７では旧カードが使用不可となるようにＩＤ管理ＤＢ７２４が更新される（図８のステップＣ１０９→Ｃ１１３に相当）。
【００８５】
その後、旧カードが使用された場合、管理サーバ７では旧カードは使用不可として管理されていため、カード使用端末５には照会結果として使用不可が管理サーバ７から返されて、旧カードは使用不可能となる。このため、所有者が新カードを新カード到着予想日に受け取れなくとも、新カードの使用を開始するまでの間、所有者は旧カードを使用することができる。また、新カードの使用を起点として、旧カードを使用不可として管理するため、新カードの使用後に、新旧両方のカードが使用可能になることがない。
【００８６】
また、図１１のように、新カードの使用後に旧カードが使用されたとき、管理サーバ７でその旧カードは使用可能として管理されている。このため、旧カードの使用に伴い、カード使用端末５の管理サーバ７への照会時に、旧カードの使用状態は使用不可に変更される（図８のステップＣ１０９→Ｃ１１１→Ｃ１１３に相当）。
【００８７】
そして、旧カードの使用期限が満了に変更されて短縮されると共に、新カードの使用が促される（図８のステップＡ１０３→Ａ１０５、ステップＢ１１１→Ｂ１１５〜Ｂ１１７に相当）。このため、新カードの使用後に旧カードが使用された場合、旧カードの使用期限は満了に変更されるため、旧カードの使用は停止される。
【００８８】
以上、本実施形態によれば、カード発行端末３は、新旧両方のカードが使用不能になってしまう期間が生じないように、ＩＣカード１（旧カード）の使用期限を、新カードの到着予想日に基づいて更新する。これにより、旧カードの初期状態での使用期限が新カードの到着予想日以前に無効となってしまう場合には、当該使用期限を適切に延長することで、新カードが到着するまでの間、旧カードが使用できるようになる。
【００８９】
また、カード使用端末５は、ＩＣカード１の更新申請中にカードが使用された場合には、そのカードの照会を管理サーバ７に対して行う。そして、そのＩＣカード１が使用不可である、即ち、新カードの使用後に旧カードが使用された場合には、ＩＣカード１の使用期限を満了に変更すると共に、新カードの使用を所有者へ促す。
【００９０】
更に、管理サーバ７は、カード使用端末５で使用されたＩＣカード１が、新カードであると判定した場合、ＩＤ管理ＤＢ７２４において旧カードの使用状態を「否」に変更する。これにより、新カードが使用された場合、旧カードは使用不可として管理サーバ７で管理されることになるため、新カードの使用後における旧カードの使用を禁止することができる。
【００９１】
また、新カードの到着予想日以降に、旧カードが使用されたとしても、管理サーバ７では、旧カードを使用可として管理しているため、その旧カードの使用期限が有効であれば、旧カードの使用を受け付ける。これにより、所有者は、新カードを受け取れなくても旧カードを使用できる。
【００９２】
このように、新旧両方のＩＣカードが所有者の元にあったとしても、所有者のＩＣカードの使用状態に応じて、旧カードの使用期限を適切に変更・更新し、管理サーバ７でカードの使用可否を管理するため、所有者の旧カードから新カードへの移行に影響を及ぼすことがなくなる。
【００９３】
〔変形例〕
尚、上述した実施形態では、カード発行端末３及びカード使用端末５は、期限変更情報として変更期限を送信することとしたが、これに限られるものではなく、例えば、次のようにしてもよい。
【００９４】
即ち、カード発行端末３は、新カード到着予想日３１２が使用期限３１０ａ以降であると判定した場合は、使用期日である使用期限３１０ａから新カード到着予想日３１２までの期間を、変更期間として生成してＩＣカード１へ送信して、ＩＣカード１のＥＥＰＲＯＭ１１に追加記憶させる。但し、この記憶の際、使用期限１１０ａを更新・変更することはしない。
【００９５】
ＩＣカード１がカード使用端末５で使用された場合は、ＩＣカード１は、カード情報１１０及び発行申請日の他に変更期間もカード使用端末５へ送信する。カード使用端末５は、この送信されたカード情報の使用期限に変更期間を加算した日付を変更期限として、ステップＢ１０３以降の処理を行う。
【００９６】
また、ステップＢ１１５においては、ＩＣカード１が使用された現在の日付から変更期限までの期間を、新たな変更期限としてＩＣカード１へ送信して、当該カードのＥＥＰＲＯＭ１１に追加記憶させる。このとき、ＣＰＵ３０及びＩＣカードリーダライタ３５により、期限満了情報生手段及び追加記憶手段が実現される。
【００９７】
このように、ＩＣカード１は、使用期限１１０ａを変更・更新せずに、変更期間を使用期限１１０ａに加算することでＩＣカード１の使用期限を決定できる。従って、ＩＣカード１の発行時に設定された使用期限を変更しなくてもよい。尚、使用期限１１０ａは、ＲＯＭ１２に記憶することとしてもよいし、また、ＩＣカード１が使用期限１１０ａを送信する際は、使用期限１１０ａに変更期間を加算した日付を使用期限として決定して送信することとしてもよい。
【００９８】
また、カード使用端末５は、管理サーバ７と通信することにより所有者ＩＤ及びカードＩＤの照会を行うこととしたが、例えば、カード使用端末５自身が格納するＩＤ管理ＤＢ５２２を用いて使用状態判定処理を行って照会結果５１４を得ることとしてもよい。この場合、カード使用端末５において、ステップＣ１０９〜Ｃ１１３に相当する処理を行って、ＩＤ管理ＤＢ５２２を更新することとなる。
【００９９】
また、ＩＤ管理ＤＢ３２２及び５２２は、端末毎に独自に格納されるＤＢであってもよいし、管理サーバ７のＩＤ管理ＤＢ７２４を定期的に受信して更新されるＤＢでもよい。
【０１００】
また、ＩＣカード更新システム９のシステム構成は、これに限られるものではなく適宜変更可能であり、例えば、管理サーバ７にカード発行装置５の機能を持たせることとしてもよいし、カード使用端末３と管理サーバ７とを一体的に構成することとしてもよい。
【０１０１】
また、ＩＤカードは、図２に示したＩＣカード１に限らず、例えば、磁気メモリを備えた磁気カードや、ＲＦＩＣ（Radio Frequency Identification）のような読み書き可能なメモリを備えたカード等に適宜適用可能である。また、磁気方式又は感熱方式の表示部を備えたリライトカードによって、使用期限を当該表示部に更新可能に表示させることとしてもよい。
【図面の簡単な説明】
【０１０２】
【図１】本発明を適用したＩＣカードとＩＣカード更新システムの概要を説明するための図。
【図２】本実施形態におけるＩＣカードの機能構成の一例を示す図。
【図３】本実施形態におけるカード発行端末の機能構成の一例を示す図。
【図４】ＩＤ管理ＤＢのデータ構成の一例を示す図。
【図５】本実施形態におけるカード使用端末の機能構成の一例を示す図。
【図６】本実施形態における管理サーバの機能構成の一例を示す図。
【図７】ＩＣカード及びＩＣカード更新システムの動作を説明するための第１のフローチャート。
【図８】ＩＣカード及びＩＣカード更新システムの動作を説明するための第２のフローチャート。
【図９】ＩＣカードの発行申請時のＩＣカード更新システムの具体的な動作を説明するための図。
【図１０】ＩＣカードの使用時のＩＣカード更新システムの具体的な動作を説明するための図。
【図１１】ＩＣカードの使用時のＩＣカード更新システムの具体的な動作を説明するための図。
【符号の説明】
【０１０３】
１     ＩＣカード
１０   ＣＰＵ
１１   ＥＥＰＲＯＭ
１１０ カード情報
１１０ａ      使用期限
１１０ｂ      所有者ＩＤ
１１０ｃ      カードＩＤ
１１２ 更新申請ステータス
１２   ＲＯＭ
１２０ 更新申請プログラム
１２２ カード使用プログラム
１３   ＲＡＭ
１４   通信制御部
１５  Ｉ／Ｆ部
９     ＩＣカード更新システム
３     カード発行端末
３５   ＩＣカードリーダライタ
３１２ 新カード到着予想日
５     カード使用端末
５５   ＩＣカードリーダライタ
５１４ 照会結果
７     管理サーバ
７２４ ＩＤ管理ＤＢ
【図１】
2006134152.tif 000003
【図２】
2006134152.tif 000004
【図３】
2006134152.tif 000005
【図４】
2006134152.tif 000006
【図５】
2006134152.tif 000007
【図６】
2006134152.tif 000008
【図７】
2006134152.tif 000009
【図８】
2006134152.tif 000010
【図９】
2006134152.tif 000011
【図１０】
2006134152.tif 000012
【図１１】
2006134152.tif 000013